(57)【要約】  【課題】  各色の色画像を重ね合わせて多色画像を形成する際に色ずれが発生しないように、簡便な方法で精度良く各色画像の位置を調整することができる画像形成装置、及び画像形成装置の調整方法を提供する。  【解決手段】  本発明の画像形成装置は、搬送ベルト７の移動方向に所定の間隔で配列された複数の部分画像ＬＣ１，ＬＣ２，…からなる各色の色テスト画像を、各色画像を形成する相対的な位置から各色に応じた距離だけ離れた搬送ベルト７上の位置に形成し、検出センサで各部分画像の位置を検出し、各色の対応する部分画像間の距離Ｐ（ＣＫ）１，Ｐ（ＣＫ）２，…を計算し、複数の部分画像間距離を平均することで各色テスト画像間の距離を求め、求めた距離に基づいて、各色画像が色ずれを起こさずに互いに重なるように各色画像を形成する媒体上の位置を調整するための調整量を計算する。【選択図】        図５
2006030712.tif 000002
【特許請求の範囲】
【請求項１】
移動する媒体上に互いに異なる色の色画像を形成する複数の画像形成手段と、該複数の画像形成手段の夫々に媒体上にテスト画像を形成させるテスト画像形成手段と、媒体上に形成されたテスト画像に光を照射する照射手段と、該照射手段がテスト画像に照射した光の正反射光及び乱反射光を検出する検出手段と、該検出手段による検出結果に基づいて、各前記画像形成手段が形成する色画像が互いに重なるように各前記画像形成手段が色画像を形成する媒体上の位置を調整する調整手段とを備える画像形成装置において、
前記テスト画像形成手段は、
各前記画像形成手段に、夫々が媒体の移動方向に所定の間隔で配列された複数の部分画像からなる色テスト画像を、各色画像を形成する媒体上の相対的な位置から各色に応じた距離だけ離れた媒体上の位置に形成させるように構成してあり、
前記調整手段は、
前記検出手段による検出結果に基づいて、媒体上に形成された各色テスト画像の互いに対応する部分画像間の距離である部分画像間距離を計算する部分画像間距離計算手段と、
該部分画像間距離計算手段が計算した前記部分画像間距離に基づいて、媒体上に形成された各色テスト画像間の距離である色画像間距離を求める手段と、
該手段が求めた前記色画像間距離に基づいて、各前記画像形成手段が形成する色画像が互いに重なるように各前記画像形成手段が色画像を形成する媒体上の位置を調整するための調整量を計算する調整量計算手段と
を有することを特徴とする画像形成装置。
【請求項２】
前記検出手段は、前記テスト画像の実質的に同一部分からの正反射光及び乱反射光を実質的に同時に検出するように構成してあることを特徴とする請求項１に記載の画像形成装置。
【請求項３】
前記検出手段は、前記照射手段が前記テスト画像に照射した同一の照射光によって生じる正反射光及び乱反射光を検出するように構成してあることを特徴とする請求項１又は２に記載の画像形成装置。
【請求項４】
前記検出手段は、乱反射光が混在した正反射光を検出する正反射光検出部と、乱反射光を検出する乱反射光検出部とを有し、
前記調整手段は、前記正反射光検出部が検出した検出結果と前記乱反射光が検出した検出結果との差を計算する手段と、該手段が計算した前記差の値の変化に基づいて、媒体上に形成された各色テスト画像に含まれる各部分画像の位置を特定する部分画像位置特定手段とを有し、
前記部分画像間距離計算手段は、前記部分画像位置特定手段が特定した各部分画像の位置に基づいて前記部分画像間距離を計算するように構成してあること
を特徴とする請求項１乃至３のいずれかひとつに記載の画像形成装置。
【請求項５】
前記正反射光検出部及び前記乱反射光検出部は、一体的に構成してあることを特徴とする請求項４に記載の画像形成装置。
【請求項６】
前記テスト画像形成手段は、各前記画像形成手段に、前記部分画像として媒体の移動方向に実質的に直交する線分である垂直線画像を形成させる手段を有し、
前記調整量計算手段は、前記部分画像が前記垂直線画像である場合の前記色画像間距離に基づいて、各前記画像形成手段が色画像を形成する媒体上の位置を媒体の移動方向へ調整するための調整量を計算する手段を有すること
を特徴とする請求項１乃至５のいずれかひとつに記載の画像形成装置。
【請求項７】
前記テスト画像形成手段は、各前記画像形成手段に、前記部分画像として媒体の移動方向に対して斜交する線分である斜線画像を形成させる手段を更に有し、
前記調整量計算手段は、前記部分画像が前記斜線画像及び前記垂直線画像である場合の前記色画像間距離に基づいて、各前記画像形成手段が色画像を形成する媒体上の位置を媒体の移動方向に対して実質的に直交する方向へ調整するための調整量を計算する手段を更に有すること
を特徴とする請求項６に記載の画像形成装置。
【請求項８】
移動する媒体上に互いに異なる色の色画像を形成する複数の画像形成手段と、該複数の画像形成手段の夫々に媒体上にテスト画像を形成させるテスト画像形成手段と、媒体上に形成されたテスト画像に光を照射する照射手段と、該照射手段がテスト画像に照射した光の正反射光及び乱反射光を検出する検出手段とを備える画像形成装置を、各前記画像形成手段が形成する色画像が互いに重なるように調整する方法において、
前記テスト画像形成手段は、各前記画像形成手段に、夫々が媒体の移動方向に所定の間隔で配列された複数の部分画像からなる色テスト画像を、各色画像を形成する媒体上の相対的な位置から各色に応じた距離だけ離れた媒体上の位置に形成させ、
前記検出手段による検出結果に基づいて、媒体上に形成された各色テスト画像の互いに対応する部分画像間の距離である部分画像間距離を計算し、
計算した前記部分画像間距離に基づいて、媒体上に形成された各色テスト画像間の距離である色画像間距離を求め、
求めた前記色画像間距離に基づいて、各前記画像形成手段が形成する色画像が互いに重なるように各前記画像形成手段が色画像を形成する媒体上の位置を調整するための調整量を計算すること
を特徴とする画像形成装置の調整方法。
【発明の詳細な説明】
【技術分野】
【０００１】
本発明は、各色の色画像を重ね合わせて多色画像を形成し、多色画像の色ずれを補正する色合わせ調整を行う画像形成装置、及び画像形成装置の調整方法に関する。
【背景技術】
【０００２】
多色画像を形成する画像形成装置は、入力されたデータをブラック（Ｋ）、シアン（Ｃ）、マゼンタ（Ｍ）、イエロー（Ｙ）の各色成分に分解して画像処理を施した後、各色成分毎の画像データを作成し、夫々の画像データに基づいた各色の色画像を重ね合わせて多色画像を形成する。多色画像の形成に際して、各色画像が重ね合わされる位置がずれている場合は、形成される多色画像に色ずれが発生することによって画質が低下する。特に、多色画像の形成速度を向上させるために各色成分毎に画像形成部を設けたタンデム型と呼ばれる画像形成装置では、各画像形成部にて各色画像が別々に形成され、記録媒体上又は記録媒体へ多色画像を転写するための転写媒体上に各色画像が順次重ね合わせられることによって多色画像が形成されるので、各色画像が形成される位置にずれが生じやすく、色ずれによる画質の低下が大きな問題となる。
【０００３】
そこで、多色画像を形成する画像形成装置は、各色画像を精度良く重ね合わせることができるように、多色画像の色ずれを補正する色合わせ調整を行っている。従来の色合わせ調整では、基準となる色画像の形成位置に対する他の色画像の形成位置のずれを光学式の検出器を用いて検出し、検出結果に基づいて補正量を決定し、各色画像の形成位置が一致するように、決定した補正量に応じて各色画像を形成するタイミングを調整する。このような従来の技術では、各色画像の形成位置のずれを検出するために、各色画像を所定のタイミングで形成し、形成された各色画像の間の距離を検出するか、又は各色画像が重ね合わされた多色画像の重なり状態若しくは濃度等を測定している。
【０００４】
例えば、特許文献１には、各色画像が形成される位置の夫々の間の距離を測定することによって各色画像の位置のずれを検出し、検出された位置のずれに基づいて各色画像が形成される位置の補正を行う技術が開示されている。この技術では、基準となる色画像と、他の色画像との距離を検出器によって検出し、検出された距離に基づいて各色画像の位置のずれ量を決定し、各色画像が形成される位置のずれを補正している。
【０００５】
また特許文献２には、各色画像が重ね合わされた多色画像の濃度を測定し、多色画像の濃度が各色画像が正確に重なった状態の濃度になるように各色画像が形成される位置のずれを補正する技術が開示されている。この技術では、補正精度を向上させるために、同一形状の複数のライン状画像を複数形成し、多色で形成されたライン状画像の濃度を検出器によって検出することにより、各色画像の重なり状態を求めている。そして、検出されたラインの濃度が所定の濃度範囲になる状態を、各色画像が正確に重なり合う状態であるとし、各色画像が正確に重なり合う状態になるように各色画像が形成される位置を制御する。
【特許文献１】特開平１０−２１３９４０号公報
【特許文献２】特開２０００−８１７４４号公報
【特許文献３】特開平１０−３１３３３号公報
【発明の開示】
【発明が解決しようとする課題】
【０００６】
特許文献１に開示された技術では、各色画像が媒体上に形成された位置を検出する検出器を用いて各色画像の位置のずれを求めているので、各色画像の位置のずれを精度良く検出するためには、高分解能の検出器を用いる必要があり、コストが増大する。この構成においてコストを下げる方法としては、各色画像を複数形成し、各色画像のずれを平均することで低分解能の検出器を使用可能にする方法がある。しかし、低分解能の検出器では、検出器の発光部から照射された光が画像で反射されて受光部へ入射する反射光の画像上で反射される部分の面積が広いので、正反射光に加えて乱反射光が受光部へ入射されることにより、検出器の出力に乱れが発生する。この乱反射光による検出器の出力の乱れは、検出器の検出能力のばらつき、検出器の取り付け誤差、画像形成装置内の温度変化、各部品の経年変化等の様々な条件によって異なり、対処が困難であるので、各色画像の位置のずれを高精度に検出することが困難である。
【０００７】
また、特許文献２に開示された技術では、色合わせ調整を行う領域の全領域について、１ライン毎に各色画像の重なり状態をずらしながら形成し、基準となる画像と位置の調整対象となる色画像とが完全に重なる状態を含めたテスト画像を形成することによって、各色画像の位置の調整量を求める必要がある。このため、各色画像の位置を調整可能な領域の全てについて色合わせ調整のためのテスト画像を形成して濃度を検出する必要があるので、色合わせ調整に要する時間が長くなるという問題がある。また色合わせ調整のために使用する現像剤の量が多くなり、コストが増大する。また色合わせ調整のために要する時間を短縮した場合、又は色合わせ調整のために必要なコストを低減させる場合には、各色画像の位置を調整できる領域が狭くなるという問題がある。
【０００８】
本発明は、斯かる事情に鑑みてなされたものであって、その目的とするところは、各色画像の位置を調整できる領域を狭くすることなく色合わせ調整のために要する時間及びコストを削減することができるような簡便な方法で精度良く各色画像の位置を調整することができる画像形成装置、及び画像形成装置の調整方法を提供することにある。
【０００９】
また本発明の他の目的とするところは、低分解能の検出器を用いて高精度に各色画像の位置を調整できる画像形成装置、及び画像形成装置の調整方法を提供することにある。
【課題を解決するための手段】
【００１０】
本発明に係る画像形成装置は、移動する媒体上に互いに異なる色の色画像を形成する複数の画像形成手段と、該複数の画像形成手段の夫々に媒体上にテスト画像を形成させるテスト画像形成手段と、媒体上に形成されたテスト画像に光を照射する照射手段と、該照射手段がテスト画像に照射した光の正反射光及び乱反射光を検出する検出手段と、該検出手段による検出結果に基づいて、各前記画像形成手段が形成する色画像が互いに重なるように各前記画像形成手段が色画像を形成する媒体上の位置を調整する調整手段とを備える画像形成装置において、前記テスト画像形成手段は、各前記画像形成手段に、夫々が媒体の移動方向に所定の間隔で配列された複数の部分画像からなる色テスト画像を、各色画像を形成する媒体上の相対的な位置から各色に応じた距離だけ離れた媒体上の位置に形成させるように構成してあり、前記調整手段は、前記検出手段による検出結果に基づいて、媒体上に形成された各色テスト画像の互いに対応する部分画像間の距離である部分画像間距離を計算する部分画像間距離計算手段と、該部分画像間距離計算手段が計算した前記部分画像間距離に基づいて、媒体上に形成された各色テスト画像間の距離である色画像間距離を求める手段と、該手段が求めた前記色画像間距離に基づいて、各前記画像形成手段が形成する色画像が互いに重なるように各前記画像形成手段が色画像を形成する媒体上の位置を調整するための調整量を計算する調整量計算手段とを有することを特徴とする。
【００１１】
本発明に係る画像形成装置は、前記検出手段は、前記テスト画像の実質的に同一部分からの正反射光及び乱反射光を実質的に同時に検出するように構成してあることを特徴とする。
【００１２】
本発明に係る画像形成装置は、前記検出手段は、前記照射手段が前記テスト画像に照射した同一の照射光によって生じる正反射光及び乱反射光を検出するように構成してあることを特徴とする。
【００１３】
本発明に係る画像形成装置は、前記検出手段は、乱反射光が混在した正反射光を検出する正反射光検出部と、乱反射光を検出する乱反射光検出部とを有し、前記調整手段は、前記正反射光検出部が検出した検出結果と前記乱反射光が検出した検出結果との差を計算する手段と、該手段が計算した前記差の値の変化に基づいて、媒体上に形成された各色テスト画像に含まれる各部分画像の位置を特定する部分画像位置特定手段とを有し、前記部分画像間距離計算手段は、前記部分画像位置特定手段が特定した各部分画像の位置に基づいて前記部分画像間距離を計算するように構成してあることを特徴とする。
【００１４】
本発明に係る画像形成装置は、前記正反射光検出部及び前記乱反射光検出部は、一体的に構成してあることを特徴とする。
【００１５】
本発明に係る画像形成装置は、前記テスト画像形成手段は、各前記画像形成手段に、前記部分画像として媒体の移動方向に実質的に直交する線分である垂直線画像を形成させる手段を有し、前記調整量計算手段は、前記部分画像が前記垂直線画像である場合の前記色画像間距離に基づいて、各前記画像形成手段が色画像を形成する媒体上の位置を媒体の移動方向へ調整するための調整量を計算する手段を有することを特徴とする。
【００１６】
本発明に係る画像形成装置は、前記テスト画像形成手段は、各前記画像形成手段に、前記部分画像として媒体の移動方向に対して斜交する線分である斜線画像を形成させる手段を更に有し、前記調整量計算手段は、前記部分画像が前記斜線画像及び前記垂直線画像である場合の前記色画像間距離に基づいて、各前記画像形成手段が色画像を形成する媒体上の位置を媒体の移動方向に対して実質的に直交する方向へ調整するための調整量を計算する手段を更に有することを特徴とする。
【００１７】
本発明に係る画像形成装置の調整方法は、移動する媒体上に互いに異なる色の色画像を形成する複数の画像形成手段と、該複数の画像形成手段の夫々に媒体上にテスト画像を形成させるテスト画像形成手段と、媒体上に形成されたテスト画像に光を照射する照射手段と、該照射手段がテスト画像に照射した光の正反射光及び乱反射光を検出する検出手段とを備える画像形成装置を、各前記画像形成手段が形成する色画像が互いに重なるように調整する方法において、前記テスト画像形成手段は、各前記画像形成手段に、夫々が媒体の移動方向に所定の間隔で配列された複数の部分画像からなる色テスト画像を、各色画像を形成する媒体上の相対的な位置から各色に応じた距離だけ離れた媒体上の位置に形成させ、前記検出手段による検出結果に基づいて、媒体上に形成された各色テスト画像の互いに対応する部分画像間の距離である部分画像間距離を計算し、計算した前記部分画像間距離に基づいて、媒体上に形成された各色テスト画像間の距離である色画像間距離を求め、求めた前記色画像間距離に基づいて、各前記画像形成手段が形成する色画像が互いに重なるように各前記画像形成手段が色画像を形成する媒体上の位置を調整するための調整量を計算することを特徴とする。
【００１８】
本発明においては、移動する媒体上に互いに異なった色からなる色画像を形成する複数の画像形成手段を備える画像形成装置は、テスト画像として、媒体の移動方向に所定の間隔で配列された複数の部分画像からなる各色の色テスト画像を、各色画像を形成する媒体上の相対的な位置から各色に応じた距離だけ離れた媒体上の位置に形成し、光を用いた検出手段で媒体上のテスト画像を検出し、各色テスト画像に含まれる互いに対応する部分画像間の距離を計算し、部分画像間距離に基づいて各色テスト画像間の距離を求め、各画像形成手段が形成する色画像が互いに重なるように色画像を形成する媒体上の位置を調整する調整量を計算する。
【００１９】
また本発明においては、テスト画像を検出する検出手段は、媒体上に形成されたテスト画像の同一部分に照射された光の正反射光及び乱反射光を同時に検出する。
【００２０】
また本発明においては、検出手段は、同一の照射光によって生じる正反射光及び乱反射光を検出する。
【００２１】
また本発明においては、検出手段は乱反射光が混在した正反射光を検出する正反射光検出部と乱反射光を検出する乱反射光検出部とを有し、正反射光検出部の検出結果と乱反射光検出部の検出結果との差をとった結果により各部分画像の位置を特定し、特定した各部分画像の位置に基づいて部分画像間距離を計算する。
【００２２】
また本発明においては、正反射光検出部と乱反射光検出部とは一体的に構成されている。
【００２３】
また本発明においては、部分画像として垂直線画像を形成し、各色テスト画像の垂直線画像間の距離に基づいた色画像間距離を計算し、計算した色画像間距離に基づき、色画像を形成する媒体上の位置を副走査方向に調整する調整量を計算する。
【００２４】
更に本発明においては、媒体の移動方向に対して斜交する斜線画像を部分画像として形成し、各色テスト画像の斜線画像間の距離に基づいた色画像間距離を計算し、計算した色画像間距離に基づき、色画像を形成する媒体上の位置を主走査方向に調整する調整量を計算する。
【発明の効果】
【００２５】
本発明にあっては、色合わせ調整を行うために、各色画像を形成する位置から各色に応じた距離だけ離れた位置に形成した色テスト画像を検出して各色テスト画像間の距離を計算する本発明の方法は、色テスト画像を重ねて形成してその重なりの状態を計測する方法に比べてより簡便な方法であるので、各色画像の位置を調整できる領域を狭くすることなく色合わせ調整のために要する時間を抑制することができる。また、離隔した色テスト画像間の距離を求めるためには、各色テスト画像を重ね塗りする必要がなく、各色テスト画像は必要最小限の現像剤で形成すれば十分であるので、各色画像の位置を調整できる領域を狭くすることなく色合わせ調整のためのコストを抑制することができる。また複数の部分画像間距離を用いて各色テスト画像間の距離を求めることにより、精度良く色画像を形成する媒体上の位置を調整するための調整量を計算することができる。
【００２６】
また本発明にあっては、テスト画像の同一部分からの正反射光及び乱反射光を同時に検出する検出手段の構成は、テスト画像の同一部分の同時検出を行わない構成に比べて、検出の時間及び位置のずれが発生しないので、一定の条件で高精度に正反射光及び乱反射光を検出できる。
【００２７】
また本発明にあっては、同一の照射光による正反射光及び乱反射光を検出する検出手段の構成は、夫々異なった照射光による反射光を検出する構成に比べ、照射手段の発光特性の違いに影響を受けないので、より精度が高い検出を行うことができる。
【００２８】
また本発明にあっては、Ｋの色画像の検出により正反射光の検出結果が顕著に変動し、またＣＭＹの各色画像の検出により乱反射光の検出結果が顕著に変動するので、正反射光の検出結果と乱反射光の検出結果との差の値の変動に基づいて高精度に各部分画像の位置を特定することができる。また正反射光の検出結果から乱反射光の検出結果を減算することにより、正反射光に混在する乱反射光に起因する正反射光の検出結果の乱れを除去することができる。従って、低分解能の検出手段を用いた場合でも精度良く色画像を形成する媒体上の位置を調整するための調整量を計算することができる。
【００２９】
また本発明にあっては、正反射光検出部及び乱反射光検出部が一体的に構成されているので、正反射光検出部と乱反射光検出部とが個別に構成されている場合に比べて、正反射光検出部及び乱反射光検出部の位置の設置誤差、又は媒体の移動ムラ等の影響を受けることなく、一定の条件で正反射光及び乱反射光を検出できる。
【００３０】
また本発明にあっては、部分画像として垂直線画像を形成し、各色間で垂直線の色画像間距離を計算することにより、垂直線の色画像間距離に基づいて、色画像を形成する媒体上の位置を調整するための副走査方向の調整量を容易に求めることができる。
【００３１】
また本発明にあっては、部分画像として斜線画像を形成し、各色間で斜線の色画像間距離を計算することにより、斜線の色画像間距離に基づいて、色画像を形成する媒体上の位置を調整するための主走査方向の調整量を容易に求めることができる等、本発明は優れた効果を奏する。
【発明を実施するための最良の形態】
【００３２】
以下本発明をその実施の形態を示す図面に基づき具体的に説明する。
図１は、本発明の画像形成装置の内部構成例を示す断面図である。図１に示した画像形成装置は、記録用紙に対して直接に画像を転写する直接転写方式を採用している。画像形成装置は、ブラック（Ｋ）、シアン（Ｃ）、マゼンタ（Ｍ）、イエロー（Ｙ）の各色のトナーを用いて多色画像を形成するように構成されている。画像形成装置は、露光ユニット１１ａ，１１ｂ，１１ｃ，１１ｄ、現像器１２ａ，１２ｂ，１２ｃ，１２ｄ、感光体ドラム１３ａ，１３ｂ，１３ｃ，１３ｄ、クリーナユニット１４ａ，１４ｂ，１４ｃ，１４ｄ、帯電器１５ａ，１５ｂ，１５ｃ，１５ｄを備えている。各符号に付したａ，ｂ，ｃ，ｄの記号は、夫々Ｋ，Ｃ，Ｍ，Ｙに対応する。露光ユニット、現像器、感光体ドラム、クリーナユニット及び帯電器は、各色について一組に構成されており、Ｋ，Ｃ，Ｍ，Ｙに対応する４個の組が直線状に並んでいる。また各色の露光ユニット、現像器、感光体ドラム、クリーナユニット及び帯電器の組は本発明に係る画像形成手段に対応する。以下、特定の色に対応する部材を指定する場合を除き、各色に対して設けられている部材をまとめて露光ユニット１１、現像器１２、感光体ドラム１３、クリーナユニット１４、帯電器１５と記載する。
【００３３】
露光ユニット１１は、発光素子をアレイ状に並べたＥＬ若しくはＬＥＤ等の書込みヘッド、又はレーザ照射部及び反射ミラーを備えたレーザスキャニングユニット（ＬＳＵ）である。図１に示した例ではＬＳＵを用いている。露光ユニット１１は、入力される画像データに応じて露光することにより、感光体ドラム１３上に画像データに応じた静電潜像を形成する。
【００３４】
帯電器１５は、感光体ドラム１３の表面を所定の電位に均一に帯電させる。帯電器１５は、感光体ドラム１３に接触するローラ型又はブラシ型の他に、感光体ドラム１３に接触しないチャージャー型等が用いられる。現像器１２は各色のトナーを収納しており、露光ユニット１１により感光体ドラム１３の表面に形成された静電潜像に各色のトナーを供給して顕像化する。クリーナユニット１４は、画像を転写した後に感光体ドラム１３の表面に残留しているトナーを回収及び除去する。
【００３５】
画像形成装置は、また、感光体ドラム１３の下方に、記録用紙を搬送する搬送ベルト７を備えている。搬送ベルト７は、厚さ１００μｍ程度のポリカーボネイト、ポリイミド、ポリアミド、ポリフッ化ビニリデン、ポリテトラフルオロエチレン重合体、エチレンテトラルフルオロエチレン重合体等で無端状に形成されている。搬送ベルト７は、ベルト駆動ローラ７１、ベルトテンションローラ７３、及び搬送ベルト従動ローラ７２，７４の間に張架され、ベルト駆動ローラ７１の駆動力により図中に示した矢印方向へ回転するように構成されている。搬送ベルト７はその表面に感光体ドラム１３が接触するように配置されており、搬送ベルト７を挟んで感光体ドラム１３に対向する転写ローラ１６ａ，１６ｂ，１６ｃ，１６ｄが備えられている。なお、以下では、各色に対応した転写ローラ１６ａ，１６ｂ，１６ｃ，１６ｄをまとめて転写ローラ１６と記載する。
【００３６】
画像形成装置は、また、記録用紙を収納する給紙トレイ４１、及び給紙トレイ４１から搬送ベルト７まで記録用紙を搬送する搬送路４２を備えている。給紙トレイ４１に収納されている記録用紙は、搬送路４２を通って搬送ベルト７まで搬送され、搬送ベルト７に吸着されて感光体ドラム１３に接触しながら更に搬送される。転写ローラ１６は、搬送ベルト７の裏側に接触しており、トナーの帯電極性とは逆極性の高電圧を均一に印加することができる。転写ローラ１６が搬送ベルト７に対して均一に高電圧を印加することにより、搬送ベルト７に吸着されて搬送されている記録用紙へ感光体ドラム１３上のトナー像を転写させる。このようにトナー像が記録用紙へ転写されることによりＫＣＭＹの各色画像が形成され、最終的に多色画像が記録用紙上に形成される。
【００３７】
画像形成装置は、更に、ヒートローラ３１及び加圧ローラ３２を有する定着ユニット３と、排紙トレイ３３とを備えている。多色画像が形成された記録用紙は、搬送ベルト７により定着ユニット３まで搬送される。ヒートローラ３１及び加圧ローラ３２は、多色画像が形成された記録用紙を挟んで回転し、ヒートローラ３１の熱により、記録用紙に多色画像が定着される。多色画像が定着した記録用紙は、排紙トレイ３３へ排出される。
【００３８】
前述の如き記録用紙に多色画像を形成する過程においては、搬送ベルト７上を搬送される記録用紙へ感光体ドラム１３ａ，１３ｂ，１３ｃ，１３ｄから各色のトナー像が転写されるタイミングにより、各色画像が記録用紙上に形成される位置が決定される。画像形成装置は、各色のトナー画像が転写されるタイミングを制御する制御部５を備えている。制御部５は、各色画像が記録用紙上で重なるように転写のタイミングを制御すべく構成されている。しかし、感光体ドラム１３の取り付け誤差、偏芯、回転ムラ、又は搬送ベルト７の温度・湿度変化による伸縮、移動ムラ等の種々の原因により、記録用紙上に形成される各色画像の位置が互いにずれ、色ずれが発生する。
【００３９】
本発明の画像形成装置は、互いに各色の画像が所定の距離だけ離れるようなテスト画像を本発明に係る媒体である搬送ベルト７上に形成し、テスト画像に含まれる各色テスト画像間の実際の距離を計測し、各色画像が記録用紙に転写されるタイミングを調整する色合わせ調整の処理を行う。画像形成装置は、更に、搬送ベルト７上に形成されたテスト画像を検出するための検出センサ２１、画像形成装置内の温度・湿度を検出する温湿度センサ２２、及び搬送ベルト７上に付着したトナーを除去するベルトクリーニングユニット２３を備えている。
【００４０】
ベルトクリーニングユニット２３は、搬送ベルト７に直接転写されたテスト画像を構成する各色のトナー、又は感光体ドラム１３との接触によって搬送ベルト７に付着したトナーを除去・回収する。検出センサ２１は、搬送ベルト７上に形成されたテスト画像を検出することを目的として、搬送ベルト７が感光体ドラム１３ａ，１３ｂ，１３ｃ，１３ｄを通過し終えた位置であって、かつ、ベルトクリーニングユニット２３に至る前の位置に設けられている。温湿度センサ２２は、急激な温度又は湿度の変化が発生しない部分に設置されており、画像形成装置内の温度・湿度を検出する。
【００４１】
図２は、検出センサ２１の構成例を示す模式図である。検出センサ２１は、搬送ベルト７上に形成されたテスト画像に光を照射する照射部（照射手段）２４を備え、照射部２４からテスト画像に光が照射されることによって生じる正反射光を検出できる位置に、正反射光検出部２５を備えている。また検出センサ２１は、照射部２４からテスト画像に光が照射されることによって生じる正反射光は検出不可能であるが、テスト画像からの乱反射光は検出できる位置に乱反射光検出部２６を備えている。図２中には正反射光を実線で示し、乱反射光を破線で示している。乱反射光検出部２６は、乱反射光のみを検出するが、正反射光検出部２５にも一部の乱反射光が入射するので、正反射光検出部２５は、乱反射光が混在した正反射光を検出する。正反射光検出部２５及び乱反射光検出部２６は、テスト画像の略同一部分からの正反射光及び乱反射光を略同時に検出する構成となっている。
【００４２】
図２には、照射部２４、正反射光検出部２５及び乱反射光検出部２６が夫々一個づつ一体に構成されているが、検出センサ２１の構成はこれに限るものではない。正反射光検出部２５と乱反射光検出部２６とは、一体的に構成されているとは限らず、個別に構成されていてもよい。しかし、図２に示すように正反射光検出部２５及び乱反射光検出部２６が一体的に構成されている場合は、正反射光検出部２５と乱反射光検出部２６とが個別に構成されている場合に比べて、正反射光検出部２５及び乱反射光検出部２６の位置の設置誤差、又は搬送ベルト７の移動ムラ等の影響を受けることなく、一定の条件で正反射光及び乱反射光を検出できる。
【００４３】
また検出センサ２１は、照射部２４を複数備え、正反射光検出部２５と乱反射光検出部２６とが夫々異なった照射部２４からの照射光による反射光を検出する構成であってもよい。しかし、図２に示すような正反射光検出部２５及び乱反射光検出部２６が同一の照射光による反射光を検出する構成では、正反射光検出部２５と乱反射光検出部２６とが夫々異なった照射光による反射光を検出する構成に比べ、各照射部２４の発光特性の違いに影響を受けないので、より精度が高い検出を行うことができる。
【００４４】
また検出センサ２１は、正反射光用の照射部と乱反射光用の照射部と一個の検出部とを備え、光を照射する照射部を切り替えながら正反射光と乱反射光とを検出部で検出する構成等の、テスト画像の同一部分の同時検出を行わない構成とすることも可能である。しかし、この構成では時間差を補正する必要があり、また検出部分の位置のずれが発生する。従って、図２に示すようなテスト画像の同一部分からの正反射光及び乱反射光を同時に検出する構成は、テスト画像の同一部分の同時検出を行わない構成に比べて、一定の条件で高精度に正反射光及び乱反射光を検出できる。
【００４５】
図３は、制御部５の内部構成例を示すブロック図である。制御部５は、演算を行うＣＰＵ５１を備え、ＣＰＵ５１には、演算に伴った一時的な情報を記憶するＲＡＭ５２と、画像形成装置を制御するための制御プログラムを記憶するＲＯＭ５３とが接続されている。ＣＰＵ５１は、ＲＯＭ５３が記憶している制御プログラムに従って画像形成装置に必要な処理を行う。またＣＰＵ５１には、計時を行う時計部５５が接続されており、ＣＰＵ５１は、時計部５５が計測する時間に基づいて各種の処理を行う。またＣＰＵ５１には、タッチパネル又はテンキー等により構成された、使用者からの操作による指示を受け付ける操作部５６が接続されている。
【００４６】
またＣＰＵ５１には、検出センサ２１及び温湿度センサ２２が接続されている。ＣＰＵ５１は、検出センサ２１及び温湿度センサ２２から検出結果を入力され、入力された検出結果に基づいた処理を行う。またＣＰＵ５１には、ベルト駆動ローラ７１を駆動させるモータ等の駆動部５０が接続されている。ＣＰＵ５１は、駆動部５０の動作を制御することにより、搬送ベルト７を移動させて、記録用紙の搬送を制御する。またＣＰＵ５１には、露光ユニット１１ａ，１１ｂ，１１ｃ，１１ｄが接続されている。ＣＰＵ５１は、露光ユニット１１が感光体ドラム１３上に静電潜像を形成するタイミングを制御することにより、各色画像が形成されるタイミングを制御する。更にＣＰＵ５１には、各色画像が形成されるタイミングの調整量を記憶する調整量記憶部５４が接続されている。
【００４７】
本発明の画像形成装置は、電源投入時、電源投入から所定時間経過後、又は所定枚数の画像を形成したとき等、予め定められた状態となったときに色合わせ調整の処理を行う。また温湿度センサ２２が所定の温度・湿度を検出した場合、又は温湿度センサ２２により所定以上の温度・湿度の変化が検出された場合にも、画像形成装置は色合わせ調整の処理を行う。また顕著な色ずれが使用者によって確認された場合又はメンテナンス時に、使用者又はサービスマンによる色合わせ調整の指示を操作部５６にて受け付けることにより、画像形成装置は色合わせ調整の処理を行う。
【００４８】
図４は、本発明の画像形成装置が行う色合わせ調整の処理の手順を示すフローチャートである。ＣＰＵ５１は、ＲＯＭ５３が記憶している制御プログラムに従って以下の色合わせ調整の処理を行う。このようにして、ＣＰＵ５１は、本発明に係るテスト画像形成手段及び調整手段として機能する。
【００４９】
ＣＰＵ５１は、露光ユニット１１ａ，１１ｂ，１１ｃ，１１ｄを制御することによって、搬送ベルト７の移動方向に対して直交する複数の垂直線画像からなるＫＣＭＹの各色テスト画像を搬送ベルト７上に同時に形成させる（Ｓ１）。色画像を記録用紙上に形成するときには順にＫＣＭＹの各色画像を形成していくところを、各色テスト画像を同時に形成することによって、各色画像を形成する相対的な位置から感光体ドラム１３間の距離等により定められる各色に応じた距離だけ離れた搬送ベルト７上の位置に各色テスト画像が形成される。図５は、垂直線画像からなる色テスト画像を示す模式図である。感光体ドラム１３ａは、搬送ベルト７の移動方向に直交する黒色のラインである垂直線画像ＬＫ１，ＬＫ２，…，ＬＫＮからなるＫの色テスト画像を搬送ベルト７上に形成する。同時に、感光体ドラム１３ｂ，１３ｃ，１３ｄは、ＣＭＹ各色のＮ本の垂直線画像からなる各色テスト画像を搬送ベルト７上に形成する。記録用紙上に画像を形成する際の副走査方向は、搬送ベルト７の移動方向の逆方向となる。また搬送ベルト７の移動方向に直交する方向は、記録用紙上に画像を形成する際の主走査方向となる。
【００５０】
図５中には、検出センサ２１が各垂直線画像を検出するための検出スポットを示している。垂直線画像を検出センサ２１で精度良く検出するためには、垂直線画像の幅及び垂直線画像の間隔を検出スポットの直径よりも大きくすることが望ましい。例えば検出スポットの直径が３ｍｍであって画像形成装置の解像度が６００ｄｐｉである場合は、１画素の大きさが約４２．３μｍであり、１００画素の幅が約４．２ｍｍとなるので、１００画素幅の垂直線画像を１００画素間隔で形成する。また感光体ドラム１３の偏芯又は回転ムラに起因する色ずれを検出するために、ＣＰＵ５１は、感光体ドラム１３の少なくとも１回転分に対応する色テスト画像を形成させる。
【００５１】
搬送ベルト７上に形成されたテスト画像は、搬送ベルト７の移動に伴って移動する。検出センサ２１の照射部２４は、搬送ベルト７上のテスト画像に対して光を照射し、照射した光の正反射光を正反射光検出部２５が検出し、照射した光の乱反射光を乱反射光検出部２６が検出する。ＣＰＵ５１は、次に、検出センサ２１が各垂直線画像を検出した検出結果を受け付ける（Ｓ２）。
【００５２】
図６は、検出センサ２１の検出結果の例を示す特性図である。図６（ａ）は正反射光検出部２５の検出結果を示し、図６（ｂ）は乱反射光検出部２６の検出結果を示す。図中の縦軸は反射光の検出強度を示し、横軸は時間を示す。また図中のＫはＫの色画像に対応する検出結果であることを示し、図中のＣはＣの色画像に対応する検出結果であることを示している。
【００５３】
Ｋの色画像と有彩色であるＣＭＹの色画像とでは、光が反射する性質が異なっており、Ｋの色画像からの正反射光量はＣＭＹの色画像からの正反射光量に比べて小さくなる。また画像が形成されていない搬送ベルト７の表面からの正反射光量は、ＣＭＹの色画像からの正反射光量に比べて若干大きい。また、ＣＭＹの色画像からの乱反射光量は、Ｋの色画像及び画像が形成されていない搬送ベルト７の表面からの乱反射光量に比べて大きい。なお、正反射光及び乱反射光の光量は、搬送ベルト７の表面状態によって異なり、搬送ベルト７の使用に伴う表面状態の変化に従って、正反射光及び乱反射光の光量は変化する。
【００５４】
従って、図６（ａ）に示す如く、Ｋの色画像に対応する部分では画像が形成されていない部分に比べて正反射光の検出強度が大きく減少する。一方、Ｃの色画像に対応する部分では、正反射光の検出強度は若干減少するのみである。また正反射光検出部２５が検出する正反射光には乱反射光が混在しているので、Ｃの色画像に対応する部分の正反射光の検出強度には乱反射光に起因する乱れがより顕著になっている。また図６（ｂ）に示す如く、Ｋの色画像に対応する部分及び画像が形成されていない部分では乱反射光の検出強度は小さく、Ｃの色画像に対応する部分では乱反射光の検出強度が増大する。
【００５５】
ＣＰＵ５１は、次に、搬送ベルト７上に形成されたＫＣＭＹの各色テスト画像間の距離を計算する色画像間距離計算処理を行う（Ｓ３）。図７は、ステップＳ３の色画像間距離計算処理のサブルーチンの処理の手順を示すフローチャートである。以下、図７に従ってステップＳ３の色画像間距離計算処理のサブルーチンの処理を説明する。ＣＰＵ５１は、正反射光検出部２５の検出結果から、乱反射光検出部２６の検出結果を減算する（Ｓ２１）。
【００５６】
図８は、正反射光検出部２５の検出結果から乱反射光検出部２６の検出結果を減算した減算結果の例を示す特性図である。図８には、図６（ａ）に示す正反射光検出部２５の検出結果から図６（ｂ）に示す乱反射光検出部２６の検出結果を減算した例を示す。画像が形成されていない部分に比べた正反射光の減少量がＣの色画像では小さくＫの色画像では大きい正反射光の検出強度から、画像が形成されていない部分に比べた乱反射光の増大量がＣの色画像では大きくＫの色画像では小さい乱反射光の検出強度を減算することにより、画像が形成されていない部分に比べてＣの色画像及びＫの色画像に対応する部分の減算強度が大きく減小する減算結果が得られる。この減算結果を利用することで、各垂直線画像に対応する部分を容易に認識することができる。なお、ＣＭＹの色画像の間でも、互いに光が反射する性質は異なっているので、正反射光検出部２５の検出結果から乱反射光検出部２６の検出結果を減算する際に、ＣＭＹの色画像の部分は、ＣＭＹの各色に対応して予め定められている係数を乱反射光検出部２６の検出結果に乗じた後で減算を行ってもよい。
【００５７】
ＣＰＵ５１は、次に、減算結果の時間変化に基づいて、ＫＣＭＹの各色テスト画像に含まれる部分画像である各垂直線画像の位置を特定する（Ｓ２２）。具体的には、ＣＰＵ５１は、ステップＳ２１で得られた減算強度の立ち下がり、立ち上がり、又は減少部分の中央位置等の部分が検出された時間と搬送ベルト７の移動速度とに基づいて、各垂直線画像の搬送ベルト７上での相対位置を計算する。
【００５８】
ＣＰＵ５１は、次に、各垂直線画像の相対位置に基づいて、各色テスト画像に含まれる互いに対応する垂直線画像間の距離である部分画像間距離を計算する（Ｓ２３）。具体的には、ＣＰＵ５１は、図５に示す如き、Ｃの一番目の垂直線画像ＬＣ１とＫの一番目の垂直線画像ＬＫ１との間の部分画像間距離Ｐ（ＣＫ）１を計算し、同様にＣＫ間の他の部分画像間距離Ｐ（ＣＫ）２，Ｐ（ＣＫ）３，…，Ｐ（ＣＫ）Ｎを計算する。また同様に、ＣＰＵ５１は、ＭＹの色テスト画像とＫの色テスト画像との間の夫々Ｎ個の部分画像間距離を計算する。
【００５９】
ＣＰＵ５１は、次に、Ｋの色テスト画像とＣＭＹの各色テスト画像との間の夫々Ｎ個の部分画像間距離を平均することにより、Ｋの色テスト画像とＣＭＹの各色テスト画像との間の色画像間距離を計算し（Ｓ２４）、ステップＳ３の色画像間距離計算処理のサブルーチンを終了して、処理をメインのルーチンへ戻す。
【００６０】
ＣＰＵ５１は、次に、前述のステップＳ３のサブルーチンで計算した色画像間距離に基づいて、記録用紙に画像を記録する際の副走査方向のずれ量を計算する（Ｓ４）。例えば、Ｋの色テスト画像とＣの色テスト画像との間の色画像間距離が、夫々の色の感光体ドラム１３ａ，１３ｂ間の設計上の距離等により定められる設定上の距離よりも長い場合は、設定上の距離に基づいて互いの色画像が重なるように予め定められているタイミングで各色画像を記録用紙上に形成したときに、Ｃの色画像はＫの色画像に重なるタイミングよりも早いタイミングで記録用紙上に形成されることとなり、色ずれが発生する。このように、感光体ドラム１３間の設計上の距離等により定められる設定上の距離と色画像間距離とを比較することによって、ＣＰＵ５１は、記録用紙に画像を記録する際にＣＭＹの各色画像がＫの色画像に対して副走査方向にずれるずれ量を計算する。
【００６１】
ＣＰＵ５１は、次に、露光ユニット１１ａ，１１ｂ，１１ｃ，１１ｄを制御することによって、搬送ベルト７の移動方向に対して斜交する複数の斜線画像からなるＫＣＭＹの各色テスト画像を搬送ベルト７上に同時に形成させる（Ｓ５）。このとき、ＣＰＵ５１は、例えば搬送ベルト７の移動方向に対して４５°傾いた斜線画像を形成させる。図９は、斜線画像からなる色テスト画像を示す模式図である。感光体ドラム１３ａは、搬送ベルト７の移動方向に対して斜交する黒色のラインである斜線画像ＳＫ１，ＳＫ２，…，ＳＫＮからなるＫの色テスト画像を搬送ベルト７上に形成する。同時に、感光体ドラム１３ｂ，１３ｃ，１３ｄは、ＣＭＹ各色のＮ本の斜線画像からなる各色テスト画像を搬送ベルト７上に形成する。
【００６２】
検出センサ２１の照射部２４は、搬送ベルト７上のテスト画像に対して光を照射し、照射した光の正反射光を正反射光検出部２５が検出し、照射した光の乱反射光を乱反射光検出部２６が検出する。ＣＰＵ５１は、次に、検出センサ２１が各斜線画像を検出した検出結果を受け付ける（Ｓ６）。ＣＰＵ５１は、次に、搬送ベルト７上に形成されたＫＣＭＹの各色テスト画像間の距離を計算する色画像間距離計算処理を行う（Ｓ７）。ステップＳ７の色画像間距離計算処理の内容は、図７のフローチャートに示したサブルーチンであるステップＳ３の色画像間距離計算処理と同様であり、ＣＰＵ５１は、検出センサ２１が各斜線画像を検出した検出結果に基づいて色画像間距離を計算する。
【００６３】
ＣＰＵ５１は、次に、ステップＳ７のサブルーチンで計算した色画像間距離に基づいて、記録用紙に画像を記録する際の各色画像の主走査方向のずれ量を計算する（Ｓ８）。図１０は、主走査方向のずれ量を計算する方法を示す概念図である。主走査方向にずれがない場合は、斜線の色画像間距離ＱはステップＳ３で求めた垂直線の色画像間距離と同じ値となる。また、Ｋの色画像がＣの色画像に比べて主走査方向に早いタイミングで形成される場合は、Ｋの斜線画像は図１０上で下方向に位置がずれることになる。この場合のＣＫ間の斜線の色画像間距離Ｑ＋はステップＳ３で求めた垂直線の色画像間距離よりも大きい値となる。また、Ｋの色画像がＣの色画像に比べて主走査方向に遅いタイミングで形成される場合は、Ｋの斜線画像は図１０上で上方向に位置がずれることになる。この場合のＣＫ間の斜線の色画像間距離Ｑ−はステップＳ３で求めた垂直線の色画像間距離よりも小さい値となる。従って、ＣＰＵ５１は、ステップＳ３で計算した垂直線の色画像間距離とステップＳ７で計算した斜線の色画像間距離とのずれ量を、斜線画像の傾きに応じて補正することにより、記録用紙に画像を記録する際の各色画像の主走査方向のずれ量を計算することができる。
【００６４】
なお、本発明の画像形成装置は、以上の構成に代えて、図９及び図１０に示した斜線画像とは逆方向に傾いた斜線画像を形成し、傾きに応じて主走査方向のずれ量を計算する処理を行う形態であってもよい。
【００６５】
ＣＰＵ５１は、次に、副走査方向及び主走査方向の色ずれ量に基づいて、色ずれが補正されて各色画像の記録用紙上での位置が重なるように、露光ユニット１１ａ，１１ｂ，１１ｃ，１１ｄを制御して色画像を形成させるタイミングを調整するための副走査方向及び主走査方向の調整量を計算する（Ｓ９）。ＣＰＵ５１は、次に、計算した調整量を調整量記憶部５４に記憶させ（Ｓ１０）、処理を終了する。ＣＰＵ５１は、記録用紙上に画像を形成させる際には、調整量記憶部５４が記憶している副走査方向及び主走査方向の調整量に基づいて、露光ユニット１１ａ，１１ｂ，１１ｃ，１１ｄに各色画像を形成させるタイミングを調整し、各色画像が重なるように画像を形成させる。
【００６６】
以上詳述した如く、本発明の画像形成装置は、搬送ベルト７の移動方向に所定の間隔で配列された複数の部分画像からなる各色の色テスト画像を、各色画像を形成する相対的な位置から各色に応じた距離だけ離れた搬送ベルト７上の位置に形成し、検出センサ２１で各部分画像の位置を検出し、各色テスト画像に含まれる互いに対応する部分画像間の距離を計算し、各色間の複数の部分画像間距離を平均することで各色テスト画像間の距離を求め、各画像形成手段が形成する色画像が互いに重なるように色画像を形成する媒体上の位置を調整するための調整量を計算する。
【００６７】
互いに離隔された色テスト画像を検出して各色テスト画像間の距離を計算する方法は、色テスト画像を重ねて形成してその重なりの状態を計測する方法に比べてより簡便な方法であるので、各色画像の位置を調整できる領域を狭くすることなく色合わせ調整のために要する時間を抑制することができる。また、離隔した色テスト画像間の距離を求めるためには、各色テスト画像を重ね塗りする必要がなく、各色テスト画像は必要最小限の現像剤で形成すれば十分であるので、各色画像の位置を調整できる領域を狭くすることなく色合わせ調整のためのコストを抑制することができる。また複数の部分画像間距離を用いて各色テスト画像間の距離を求めることにより、精度良く色画像を形成する媒体上の位置を調整するための調整量を計算することができる。
【００６８】
また本発明においては、正反射光検出部２５の検出結果から乱反射光検出部２６の検出結果を減算し、この結果に基づいて各部分画像の位置を特定する。Ｋの色画像の検出により正反射光の検出結果は顕著に変動し、またＣＭＹの各色画像の検出により乱反射光の検出結果が顕著に変動するので、正反射光の検出結果と乱反射光の検出結果との差の値の変動に基づいて高精度に各部分画像の位置を特定することができる。また正反射光の検出結果から乱反射光の検出結果を減算することにより、正反射光に混在する乱反射光に起因する正反射光の検出結果の乱れを除去することができる。従って、低分解能の検出センサ２１を用いた場合でも精度良く色画像を形成する媒体上の位置を調整するための調整量を計算することができる。
【００６９】
また本発明においては、部分画像として垂直線画像を形成し、各色間で垂直線の色画像間距離を計算し、この結果に基づいて、色画像を形成する媒体上の位置を調整するための副走査方向の調整量を容易に求めることができる。また本発明においては、部分画像として斜線画像を形成し、各色間で斜線の色画像間距離を計算し、この結果に基づいて、色画像を形成する媒体上の位置を調整するための主走査方向の調整量を容易に求めることができる。
【００７０】
なお、本実施の形態においては、垂直線画像を形成して副走査方向のずれ量を計算する処理と斜線画像を形成して主走査方向のずれ量を計算する処理とを個別に行う形態を示しているが、これに限るものではなく、垂直線画像及び斜線画像からなる色テスト画像を搬送ベルト７上に形成することで副走査方向及び主走査方向のずれ量を一回の処理で求める形態であってもよい。また、垂直線画像又は斜線画像以外の形状の部分画像を形成する形態であってもよい。
【００７１】
また本実施の形態においては、露光ユニット１１ａ，１１ｂ，１１ｃ，１１ｄは各色テスト画像を搬送ベルト７上に同時に形成させる形態を示しているが、ＫＣＭＹの各色テスト画像を互いに異なる所定のタイミングで形成させる等、その他の方法で各色画像を形成する相対的な位置から各色に応じた距離だけ離れた搬送ベルト７上の位置に各テスト画像を形成する形態であってもよい。また本実施の形態においては、搬送ベルト７上にテスト画像を形成する形態を示しているが、搬送ベルト７によって搬送される記録用紙上にテスト画像を形成する形態であってもよい。
【００７２】
また本実施の形態においては、本発明の画像形成装置は、記録用紙に対して直接に画像を転写する直接転写方式の画像形成装置であるとしたが、これに限るものではなく、転写ベルト上に各色画像を重ね合わせて形成し、重ね合わされた各色画像を転写ベルトから一括して記録用紙へ転写することによって多色画像を形成する中間転写方式の画像形成装置であってもよい。この場合は、転写ベルト上にテスト画像を形成することによって同様の処理を行うことができる。
【図面の簡単な説明】
【００７３】
【図１】本発明の画像形成装置の内部構成例を示す断面図である。
【図２】検出センサの構成例を示す模式図である。
【図３】制御部の内部構成例を示すブロック図である。
【図４】本発明の画像形成装置が行う色合わせ調整の処理の手順を示すフローチャートである。
【図５】垂直線画像からなる色テスト画像を示す模式図である。
【図６】検出センサの検出結果の例を示す特性図である。
【図７】ステップＳ３の色画像間距離計算処理のサブルーチンの処理の手順を示すフローチャートである。
【図８】正反射光検出部の検出結果から乱反射光検出部の検出結果を減算した減算結果の例を示す特性図である。
【図９】斜線画像からなる色テスト画像を示す模式図である。
【図１０】主走査方向のずれ量を計算する方法を示す概念図である。
【符号の説明】
【００７４】
１１ａ，１１ｂ，１１ｃ，１１ｄ  露光ユニット（画像形成手段）
１３ａ，１３ｂ，１３ｃ，１３ｄ  感光体ドラム（画像形成手段）
２１  検出センサ（検出手段）
２２  温湿度センサ
２３  ベルトクリーニングユニット
２４  照射部（照射手段）
２５  正反射光検出部
２６  乱反射光検出部
５  制御部
５１  ＣＰＵ（テスト画像形成手段、調整手段）
５３  ＲＯＭ
７  搬送ベルト（媒体）
【図１】
2006030712.tif 000003
【図２】
2006030712.tif 000004
【図３】
2006030712.tif 000005
【図４】
2006030712.tif 000006
【図５】
2006030712.tif 000007
【図６】
2006030712.tif 000008
【図７】
2006030712.tif 000009
【図８】
2006030712.tif 000010
【図９】
2006030712.tif 000011
【図１０】
2006030712.tif 000012